(57)【特許請求の範囲】
【請求項１】
プラグコネクタは、樹脂で成形されたプラグコネクタ本体と、該プラグコネクタ本体に周設された対向する２つ仕切壁の外側面に装着された複数の板状シグナルコンタクトと、該プラグコネクタ本体の中間には２列に配列されたばね性グランドコンタクトを有し、
ジャックコネクタには、樹脂で成形されたジャックコネクタ本体と、前記プラグコネクタの板状シグナルコンタクトに弾接し２列に配列された複数のばね性シグナルコンタクトと、該ジャックコネクタ本体の中間に立設された１個の支承壁の両側面に装着され前記プラグコネクタのばね性グランドコンタクトが弾接する２列に配列された複数の板状グランドコンタクトを有し、
該ばね性および板状グランドコンタクトは、それぞれコンタクト部と、同一列に属する複数の該コンタクト部を根元において連結する共通条片と、該共通条片に設けられた複数のターミナル部とからなることを特徴とする高速信号用コネクタ。
【請求項２】
前記板状シグナルコンタクトはそれぞれコンタクト部とターミナル部とを有し、同一列に属する該板状シグナルコンタクトのターミナル部からなる列の両端若しくは該列の中間に、前記ばね性グランドコンタクトのターミナル部が配設されてなることを特徴とする請求項１記載の高速信号用コネクタ。
【請求項３】
前記ばね性シグナルコンタクトはそれぞれコンタクト部とターミナル部とを有し、同一列に属する該ばね性シグナルコンタクトのターミナル部からなる列の両端若しくは該列の中間に、前記板状グランドコンタクトのターミナル部が配設されてなることを特徴とする請求項１または２記載の高速信号用コネクタ。
【発明の詳細な説明】
【０００１】
【発明の属する技術分野】
本発明は複数のシグナルコンタクトとグランドコンタクトとを有し基板間において高速信号を伝送するコネクタに係り、特にシグナルコンタクトとグランドコンタクトの組み合わせを変え小型化を可能にした高速信号用コネクタに関する。
【０００２】
近年、パソコン等の情報機器では各種装置の高密度実装化が進められると共に  １００ＭＨＺ前後の高速信号が取り扱われ、例えば、プリント板等においても印刷配線基板が小型化されると共に部品の両面実装など高密度実装化が図られている。
【０００３】
プリント板間は全てコネクタを介して接続されるがかかる用途に供されるコネクタはコネクタ自体が小型であると共に、部品の両面実装を可能にし配線パターンの領域を拡大するためサーフェイスマウントが可能であることが要求される。
【０００４】
しかも対象とする信号が  １００ＭＨＺ前後の高速信号であるためコンタクト間のクロストークの小さいことが要求される。そこでサーフェイスマウントができてクロストークが小さく小型化が可能な高速信号用コネクタの開発が望まれている。
【０００５】
【従来の技術】
図４は従来の高速信号用コネクタを示す側断面図である。
図において従来の高速信号用コネクタは印刷配線基板に搭載され互いに嵌挿可能なプラグ１およびジャック２を有し、プラグ１は成形された樹脂からなる本体１１に複数のシグナルコンタクト１２とグランドコンタクト１３とが装着されている。
【０００６】
一方、ジャック２は成形された樹脂からなる本体２１に複数のシグナルコンタクト２２とグランドコンタクト２３が装着され、複数のグランドコンタクト１３、２３は共に２列に配列された複数のシグナルコンタクト１２、２２の中間に配設されている。
【０００７】
即ち、高速信号のクロストークを低減させるにはシグナルコンタクトとグランドコンタクトとを対向させる必要があり、プラグ１とジャック２はそれぞれシグナルコンタクト１２、２２に対向させてグランドコンタクト１３、２３を配設している。
【０００８】
また、プラグ１が有するシグナルコンタクト１２とグランドコンタクト１３は板状で支承壁１４、１５、１６によって支えられ、それぞれ印刷配線基板３のスルーホール３１を貫通して導体パターン３２にはんだ付けされるリード部１７、１８を具えている。
【０００９】
ジャック２が有するばね性を具えたシグナルコンタクト２２とグランドコンタクト２３は仕切壁２４、２５によって仕切られ、それぞれ印刷配線基板３のスルーホール３１を貫通して導体パターン３２にはんだ付けされるリード部２７、２８を具えている。
【００１０】
かかるプラグ１をジャック２に嵌挿することによりシグナルコンタクト１２がシグナルコンタクト２２に接触すると共に、グランドコンタクト１３がグランドコンタクト２３に接触し印刷配線基板３上の導体パターン３２間を接続することができる。
【００１１】
【発明が解決しようとする課題】
コネクタを通過する信号が  １００ＭＨＺ前後の高速信号である場合はコンタクト間のクロストークの小さいことが要求され、シグナルコンタクトと対向するグランドコンタクトのインダクダンスを下げることによりクロストークが低減される。
【００１２】
しかし、従来のコネクタにおけるグランドコンタクトはそれぞれ独立していてシグナルコンタクトと１対１で対向し、印刷配線基板上に形成された導体パターンにより短絡されているためインダクダンスを十分低下させることができない。
【００１３】
しかも、従来のコネクタはスルーホールにリード部を嵌挿しているためコンタクトピッチの縮小が制約されると共に、グランドコンタクトやシグナルコンタクトを支承し、それ等の間を仕切るため本体に多くの壁面を設ける必要があった。
【００１４】
コンタクトピッチはリード部の形状を変更しコネクタをサーフェイスマウント化することによって縮小可能であるが、従来構造ではグランドコンタクトやシグナルコンタクトを支承し仕切るための壁面を削減できないという問題があった。
【００１５】
本発明の目的はサーフェイスマウントができてクロストークが小さく小型化が可能な高速信号用コネクタを提供することにある。
【００１６】
【課題を解決するための手段】
図１は本発明になる高速信号用コネクタを示す側断面図である。なお全図を通し同じ対象物は同一記号で表している。
【００１７】
【課題を解決するための手段】
上記課題は、プラグコネクタは、樹脂で成形されたプラグコネクタ本体と、該プラグコネクタ本体に周設された対向する２つ仕切壁の外側面に装着された複数の板状シグナルコンタクトと、該プラグコネクタ本体の中間には２列に配列されたばね性グランドコンタクトを有し、ジャックコネクタには、樹脂で成形されたジャックコネクタ本体と、前記プラグコネクタの板状シグナルコンタクトに弾接し２列に配列された複数のばね性シグナルコンタクトと、該ジャックコネクタ本体の中間に立設された１個の支承壁の両側面に装着され前記プラグコネクタのばね性グランドコンタクトが弾接する２列に配列された複数の板状グランドコンタクトを有し、該ばね性および板状グランドコンタクトは、それぞれコンタクト部と、同一列に属する複数の該コンタクト部を根元において連結する共通条片と、該共通条片に設けられた複数のターミナル部とからなることを特徴とする高速信号用コネクタにより達成される。
【００１８】
ジャックコネクタがばね性を有するシグナルコンタクトと板状のグランドコンタクトとからなり、プラグコネクタが板状のシグナルコンタクトとばね性を有するグランドコンタクトとからなることで小型化することが可能になる。
【００１９】
例えば、板状のシグナルコンタクトを支承するための支承壁によって隣接するグランドコンタクトとの間が仕切られ、かかる壁面の兼用によって本体上に形成される壁面数が減少してプラグおよびジャックの幅を小さくすることができる。
【００２０】
しかも、同一列に属する複数のグランドコンタクトを内部において短絡することでクロストークの低減が可能になり、シグナルコンタクトとグランドコンタクトのターミナル部を側方に出すことによりサーフェイスマウントが可能になる。
【００２１】
即ち、サーフェイスマウントができてクロストークが小さく小型化が可能な高速信号用コネクタを実現することができる。
【００２２】
【発明の実施の形態】
以下添付図により本発明の実施例について説明する。なお図２は本発明におけるプラグとコンタクトを示す斜視図、図３は本発明におけるジャックとコンタクトを示す斜視図である。
【００２３】
図１に示す如く本発明になるコネクタはプラグ４が樹脂からなる本体５１を、ジャック５が樹脂からなる本体５２を有し、モールド成形されたプラグ４の本体５１は同じくモールド成形されたジャック５の本体５２に容易に嵌挿することができる。
【００２４】
プラグ４は本体５１に板状の第２のシグナルコンタクト４２とばね性を有する第１のグランドコンタクト４３とが装着され、２列に配列されてなる第２のシグナルコンタクト４２に対向させて第１のグランドコンタクト４３が２列に配設されている。
【００２５】
本体５１はシグナルコンタクト４２とグランドコンタクト４３の間を仕切る仕切壁５３を有し、グランドコンタクト４３は仕切壁５３の間に２列に配設され、仕切壁５３の外側に配設された板状のシグナルコンタクト４２は仕切壁５３により支承されている。
【００２６】
ジャック５は本体５２にばね性を有する第１のシグナルコンタクト４１と板状の第２のグランドコンタクト４４が装着され、２列に配列されてなる第１のシグナルコンタクト４１に対向させて第２のグランドコンタクト４４が２列に配設されている。
【００２７】
本体５２は外側の仕切壁５４とグランドコンタクト４４間に挟まれ板状のグランドコンタクト４４を支承する支承壁５５とを有し、仕切壁５４と支承壁５５との間で対向するシグナルコンタクト４１とグランドコンタクト４４とを仕切る壁は省略されている。
【００２８】
即ち、従来のコネクタの場合はプラグに設けられた支承壁とジャックに設けられた仕切壁の合計が７になるのに対し、本発明のコネクタはプラグとジャックに設けられた仕切壁と支承壁との合計が５になり幅方向寸法の縮小が可能になる。
【００２９】
以下添付図により本発明におけるプラグおよびジャックとそれぞれのコンタクトの構造について更に詳細に説明する。なお、図示の構成は一例でプラグおよびジャックのシグナルコンタクトとグランドコンタクトが入れ替わる場合もある。
【００３０】
図２（ａ）  に示す如くプラグ４は本体５１と板状のシグナルコンタクト４２とばね性を有するグランドコンタクト４３を有し、板状のシグナルコンタクト４２は図２（ｂ）  に示す如くコンタクト部  ４２１とターミナル部  ４２２とがＬ字状に連結されている。
【００３１】
一方、ばね性を有するグランドコンタクト４３は図２（ｃ）  に示す如く複数のコンタクト部  ４３１と、同一列に属するコンタクト部  ４３１を根元において連結する共通条片  ４３２と、共通条片  ４３２に設けられた複数のターミナル部  ４３３を具えている。
【００３２】
グランドコンタクト４３のコンタクト部  ４３１は図２（ａ）  に示す如くシグナルコンタクト４２と共に本体５１に装着したとき、各コンタクト部  ４３１が所定の間隔で配列された複数のシグナルコンタクト４２のコンタクト部  ４２１と対向する幅を有する。
【００３３】
また、グランドコンタクト４３のターミナル部  ４３３は図２（ｃ）  に示す如く各コンタクト部  ４３１間の境界に設けられており、本体５１に装着されたときシグナルコンタクト４２のターミナル部  ４２２からなる列の両端若しくは中間に適宜配設される。
【００３４】
樹脂からなる本体５１は図２（ａ）  に示す如くベース部５６とグランドコンタクト４３の装着領域を取り囲む仕切壁５３を有し、仕切壁５３は内外にグランドコンタクト４３を嵌挿する凹部５７とシグナルコンタクト４２を嵌挿する案内溝５８とを具えている。
【００３５】
図示の如く板状のシグナルコンタクト４２は幅が狭く例えば本体５１のベース部５６において位置決めしても横に倒れ易い。しかし、仕切壁５３の外側にシグナルコンタクト４２を嵌挿する案内溝５８を設け支承することによって横倒れが防止される。
【００３６】
また、図３（ａ）  に示す如くジャック５はばね性を有するシグナルコンタクト４１と板状のグランドコンタクト４４を有し、本体５２はベース部５９およびベース部５９の外周に沿って形成された仕切壁５４と中央に突出させた支承壁５５とを具えている。
【００３７】
ばね性を有するシグナルコンタクト４１は図３（ｂ）  に示す如く本体５２のベース部５９に嵌挿される胴体部  ４１１を中心とし、コンタクト部  ４１２とターミナル部  ４１３と仕切壁５４に嵌入し胴体部  ４１１の横倒れを防止する舌片  ４１４とが形成されている。
【００３８】
一方、グランドコンタクト４４は図３（ｃ）  に示す如く幅の広い板状の複数のコンタクト部  ４４１と、同一列に属するコンタクト部  ４４１を根元において連結する共通条片  ４４２と、共通条片  ４４２に設けられた複数のターミナル部  ４４３を具えている。
【００３９】
グランドコンタクト４４のコンタクト部  ４４１は図３（ａ）  に示す如くシグナルコンタクト４１と共に本体５２に装着したとき、各コンタクト部  ４４１が所定の間隔で配列された複数のシグナルコンタクト４１のコンタクト部  ４１２と対向する幅を有する。
【００４０】
また、グランドコンタクト４４のターミナル部  ４４３は図３（ｃ）  に示す如く各コンタクト部  ４４１間の境界に設けられており、本体５２に装着されたときシグナルコンタクト４１のターミナル部  ４１３からなる列の両端若しくは中間に適宜配設される。
【００４１】
本体５２は図３（ａ）  に示す如く中央に突出させた支承壁５５の両面にグランドコンタクト４４を嵌挿する凹部６１が設けられ、外周に沿い形成された仕切壁５４の内側にシグナルコンタクト４１のコンタクト部  ４１２が嵌挿される案内溝６２を具えている。
【００４２】
シグナルコンタクト４１のコンタクト部  ４１２は幅が狭く胴体部  ４１１をベース部５９において位置決めしても横に倒れ易い。しかし、仕切壁５４の内側にシグナルコンタクト４１を嵌挿する案内溝６２を設け支承することによって横倒れが防止される。
【００４３】
コネクタを通過する信号が  １００ＭＨＺ前後の高速信号である場合はコンタクト間のクロストークの小さいことが要求され、シグナルコンタクトと対向するグランドコンタクトのインダクダンスを下げることによりクロストークが低減される。
【００４４】
本発明になるコネクタにおけるグランドコンタクトは複数のシグナルコンタクトと対向するコンタクト部が一体化され、かつ同一列に属するコンタクト部が内部において短絡されているためインダクダンスを十分低下させることができる。
【００４５】
このようにプラグとジャックのいずれか一方がばね性を有するシグナルコンタクトと板状のグランドコンタクトを具え、他方が板状のシグナルコンタクトとばね性を有するグランドコンタクトを具えてなるコネクタは小型化が可能になる。
【００４６】
例えば、板状のシグナルコンタクトを支承するための支承壁によって隣接するグランドコンタクトとの間が仕切られ、かかる壁面の兼用によって本体上に形成される壁面数が減少してプラグおよびジャックの幅を小さくすることができる。
【００４７】
しかも、同一列に属する複数のグランドコンタクトを内部において短絡することでクロストークの低減が可能になり、シグナルコンタクトとグランドコンタクトのターミナル部を側方に出すことによりサーフェイスマウントが可能になる。
【００４８】
即ち、サーフェイスマウントができてクロストークが小さく小型化が可能な高速信号用コネクタを実現することができる。
【００４９】
【発明の効果】
上述の如く本発明によればサーフェイスマウントができてクロストークが小さく、小型化が可能な高速信号用コネクタを提供することができる。
【図面の簡単な説明】
【図１】本発明になる高速信号用コネクタを示す側断面図である。
【図２】本発明におけるプラグとコンタクトを示す斜視図である。
【図３】本発明におけるジャックとコンタクトを示す斜視図である。
【図４】従来の高速信号用コネクタを示す側断面図である。
【符号の説明】
４    プラグ                        ５    ジャック
４１、４２  シグナルコンタクト          ４３、４４  グランドコンタクト
５１、５２  本体                        ５３    仕切壁
５４    仕切壁                        ５５    支承壁
５６    ベース部                      ５７    凹部
５８    案内溝                        ５９    ベース部
６１    凹部                          ６２    案内溝
４１１      胴体部                        ４１２      コンタクト部
４１３      ターミナル部                  ４１４      舌片
４２１      コンタクト部                  ４２２      ターミナル部
４３１      コンタクト部                  ４３２      共通条片
４３３      ターミナル部                  ４４１      コンタクト部
４４２      共通条片                      ４４３      ターミナル部
【図１】
0003631312.tif 000002
【図２】
0003631312.tif 000003
【図３】
0003631312.tif 000004
【図４】
0003631312.tif 000005